(57)【特許請求の範囲】
【請求項１】
磁気記録再生装置の異常検出方法において、
記録媒体の所定領域に所定の信号を記録し、記録された信号を再生し、再生信号に基づき前記磁気記録再生装置の正常又は異常を判定し、
前記所定領域は、トラック合わせに用いられる該記録媒体のトラック合わせ区間であり、
前記トラック合わせ区間に記録された前記所定の信号を再生することにより、磁気記録再生装置の正常又は異常を判定することを特徴とする磁気記録再生装置の異常検出方法。
【請求項２】
記録媒体の頭出し時、磁気記録再生装置の磁気ヘッドの目詰まりを検出する方法において、
電源がＯＮかＯＦＦかを判定して、ＯＮであれば頭出し動作に分岐し、ＯＦＦであれば電源を入力し、
前記頭出し動作において、前記記録媒体を順方向に早送りしてトラック合わせ区間に記録された所定の信号を再生してクロッグ判別により未記録部分を判定し、
前記未記録部分を検出しない場合には更に前記再生及び判定を行い、
前記未記録部分を検出する場合には逆方向に巻戻してクロッグ判別により記録部分を判定し、
前記記録部分を検出する場合は頭出し動作を終了し、
前記記録部分を検出しない場合は再生されている部分が該記録媒体の先頭領域であるか否かを判定し、
前記先頭領域ではない場合には更に前記判定及び再生を続行し、
前記先頭領域である場合には、該先頭領域に信号を記録して、再生し、
再生信号を用いてクロッグ判別し、前記磁気記録装置の目詰まりを検出することを特徴とする磁気記録再生装置の異常検出方法。
【請求項３】
記録媒体へ記録する際、磁気記録再生装置の磁気ヘッドの目詰まりを検出する方法において、
クロッグ判別により前記磁気ヘッドの目詰まりを判定し、
目詰まりを検出する場合には警告を発して終了し、
目詰まりを検出しない場合には記録をし、
前記記録を停止する際、トラック合わせ区間に所定の信号を記録して再生し、
再生信号を用いて再度クロッグ判別により前記磁気ヘッドの目詰まりを判定し、
目詰まりを検出する場合には警告を発し、
目詰まりを検出しない場合には前記記録動作を終了することを特徴とする磁気記録再生装置の異常検出方法。
【発明の詳細な説明】
【０００１】
【産業上の利用分野】
本発明は磁気記録再生装置の異常検出方法に関し、特に磁気記録再生装置において磁気ヘッドの目詰まりを検出する磁気ヘッド目詰まり検出方法に関する。
【０００２】
【従来の技術】
従来、８mmＶＴＲ等の磁気記録再生装置において、つなぎ撮り（記録）を行う場合にのみ、クロッグ（ＣＬＯＧ）判別により記録、未記録の判別が行われる（例えばSONY 8mmムービサービスマニュアル参照）。「つなぎ撮り」とは、ある記録に引き続いてさらに別の記録を行うことであり、「クロッグ判別」とは、再生されたＲＦ信号のエンベロープと基準電源との比較、即ちレベル検出をすることにより、磁気記録媒体の記録部分、未記録部分の判別を行う方法である。
【０００３】
図５（Ａ）は、つなぎ撮り動作を説明するための、磁気テープの説明図である。
【０００４】
図５（Ａ）より、磁気テープに記録中、一時停止命令によりテープへの記録を停止して、その後巻き戻し、先の記録された部分の一部を再生して停止する。その再生動作時、クロッグ信号により記録済み部分を確認する。
【０００５】
図５（Ｂ）〜図５（Ｃ）は、クロッグ判別を説明するための再生ＲＦ信号のエンベロープであり、図５（Ｂ）はＳＰモード（標準モード）、図５（Ｃ）はＬＰモード（倍速モード）時の夫々ＲＦ信号を示す。
【０００６】
図５（Ｂ）と図５（Ｃ）のＲＦ信号では、トラックに対する再生磁気ヘッドの傾きがことなっているため、信号の山と谷との深さが異なることにより、ＳＰとＬＰの区別をすることも可能である。記録／未記録の判別は、未記録の場合はＲＦ信号のエンベロープのレベルが０又は低いことにより行うことができる。
【０００７】
また、図６は従来のつなぎ撮りの際、記録媒体の未記録部分の頭出し方法を説明するためのフローチャートである。
【０００８】
図６を参照して、上記従来の頭出し方法は、つなぎ撮り記録開始前に磁気テープの未記録領域の頭出し動作が開始される。ステップ６０１では、ＦＷＤ（フォーワード）遷移命令が出力され磁気テープの再生が開始される。次に、ステップ６０２では、前ステップにおいて再生されたＲＦ信号に基づくクロッグ判別により、未記録部分が検出されたか否かを判断する。未記録部分を検出しないときは（Ｎｏ）、ステップ６０１に戻り磁気テープは更に順方向に再生される。未記録部分を検出したときは（Ｙｅｓ）、ステップ６０３に分岐する。
【０００９】
ステップ６０３では、ＲＶＳ（リバース）動作命令が出力され磁気テープが巻戻され逆方向に再生する。続いて、ステップ６０４では、クロッグ判別により磁気テープの記録部分が検出されたか否かが判断される。記録部分を検出した場合（Ｙｅｓ）、頭出し動作は終了し次の動作へ移行する。記録部分が検出されないときは（Ｎｏ）、ステップ６０５に分岐して現在再生している領域が磁気テープのトップ（先頭領域）か否かを判断する。テープトップであるときは（Ｙｅｓ）、この磁気テープはＮＥＷテープであると判断する。テープトップでないときは（Ｎｏ）、ステップ６０３に分岐して、引き続き巻き戻し・再生が続行される。
【００１０】
また、図７は従来のつなぎ撮り時の磁気ヘッドの目詰まり検出方法を説明するためのフローチャートである。
【００１１】
図７を参照して、上記従来の磁気ヘッドの目詰まり検出方法は、記録開始命令を受けて磁気記録装置は、ステップ７０１において記録前準備にかかる。次に、ステップ７０２において、磁気記録媒体に記録を行う。次に、ステップ７０３において、記録停止命令が磁気記録装置に入力されるまで記録を続行する。記録停止命令が入力された場合、ステップ７０４に分岐して以降、図５（Ａ）に示すようにトラック合わせ等の次の記録への準備を実施する。すなわち、ステップ７０５において、クロッグ信号のレベルにより記録が正常に実行されたか否かを判定する。目詰まりが検知された場合は、ステップ７０６において、磁気記録再生装置は警告を発する。
【００１２】
【発明が解決しようとする課題】
しかしながら、従来の図６に示す頭出し動作方法では、ヘッドの目詰まり検出が実行されないため、ヘッドの目詰まりにより磁気記録媒体の記録済み部分が検出されない場合であっても、記録が全くない磁気記録媒体、即ちＮＥＷ（新しい）テープと磁気記録装置は判断する。このため、記録済み部分が上書きされて全て消去される危険性がある。
【００１３】
また、従来の図７に示す記録方法においては（図５（Ａ）参照）、一旦記録が済んだ後に目詰まり検出を行っているため、記録前に目詰まりを検知判断することができない。従って、記録前にヘッドの目詰まり等の異常を検知できないため、異常を検知したときには既に記録が失われている等の不都合が生じる。
【００１４】
さらに、従来検索及び編集時において、クロッグ判別は実行されていないため、既記録部分が未記録部分と誤認識されるおそれがある。具体的には、検索（再生）時、記録部分を再生できず、テープトップ（先頭領域）へ磁気ヘッドを遷移させて磁気記録再生装置はこの磁気テープはｎｅｗテープ（未記録）であるとのメッセージを出力してしまう可能性がある。
【００１５】
本発明は、このような問題点に鑑みてなされたものであって、磁気記録再生装置において、ヘッドの目詰まり等の装置の異常を正確に検出し、さらには記録媒体の記録済み領域と未記録領域との誤認に起因する誤記録を防止するための磁気記録再生装置の異常検出方法を提供することを目的とする。
【００１６】
【課題を解決するための手段】
【００１８】
本発明の磁気記録再生装置の異常検出方法は、上記目的を達成するために、磁気記録再生装置の異常検出方法において、記録媒体の所定領域に所定の信号を記録し、記録された信号を再生し、再生信号に基づき前記磁気記録再生装置の正常又は異常を判定し、前記所定領域は、トラック合わせに用いられる該記録媒体のトラック合わせ区間であり、前記トラック合わせ区間に記録された前記所定の信号を再生することにより、磁気記録再生装置の正常又は異常を判定することを特徴とする。
【００１９】
本発明の磁気記録再生装置の異常検出方法は、上記目的を達成するために、記録媒体の頭出し時、磁気記録再生装置の磁気ヘッドの目詰まりを検出する方法において、電源がＯＮかＯＦＦかを判定して、ＯＮであれば頭出し動作に分岐し、ＯＦＦであれば電源を入力し、前記頭出し動作において、前記記録媒体を順方向に早送りしてトラック合わせ区間に記録された所定の信号を再生してクロッグ判別により未記録部分を判定し、前記未記録部分を検出しない場合には更に前記再生及び判定を行い、前記未記録部分を検出する場合には逆方向に巻戻してクロッグ判別により記録部分を判定し、前記記録部分を検出する場合は頭出し動作を終了し、前記記録部分を検出しない場合は再生されている部分が該記録媒体の先頭領域であるか否かを判定し、前記先頭領域ではない場合には更に前記判定及び再生を続行し、前記先頭領域である場合には、該先頭領域に信号を記録して、再生し、再生信号を用いてクロッグ判別し、前記磁気記録装置の目詰まりを検出することを特徴とする。
【００２０】
本発明の磁気記録再生装置の異常検出方法は、上記目的を達成するために、記録媒体へ記録する際、磁気記録再生装置の磁気ヘッドの目詰まりを検出する方法において、クロッグ判別により前記磁気ヘッドの目詰まりを判定し、目詰まりを検出する場合には警告を発して終了し、目詰まりを検出しない場合には記録をし、前記記録を停止する際、トラック合わせ区間に所定の信号を記録して再生し、再生信号を用いて再度クロッグ判別により前記磁気ヘッドの目詰まりを判定し、目詰まりを検出する場合には警告を発し、目詰まりを検出しない場合には前記記録動作を終了することを特徴とする。
【００２２】
【作用】
上記構成のもと、本発明によれば、記録、再生、検索を行う際に、所定の信号を記録媒体の所定の領域、すなわち、トラック合わせ領域に記録し、この記録を再生し、次に例えば再生された記録信号のレベルを検出することにより、磁気記録再生装置のヘッドの目詰まり等の異常が検出される。このため、再生の際ヘッド目詰まりにより記録済み部分が検出されないにも拘らず、記録済み領域を未記録領域と誤認して、記録領域を上書きするような誤記録が防止される。また、ｎｅｗテープに対しても、使用前に所定の信号を書き込み、かつ再生してクロッグ判別を行うことによりヘッドの目詰まりが検出される。
【００２３】
また、本発明によれば、次の記録等を開始する際にトラック合わせ部分を用いてクロッグ判別ができ、磁気記録再生装置の正常又は異常が判断される。この方法によれば、記録媒体を先頭領域まで巻き戻したりする手間が省ける。
【００２４】
【実施例】
図面を参照して、本発明の実施例を以下に説明する。
【００２５】
【実施例１】
図１は、本発明の一実施例に係る磁気記録再生装置の概略構成を示すブロック図であり、図２は図１の磁気記録再生装置における頭出し方法を説明するフローチャートである。
【００２６】
図１に示す本実施例の磁気記録再生装置については、特願平7-59876号等に詳細に説明されているので、本実施例では詳細な説明を省略するが、搬送メカ20から搬送され落下している被写体の位置に同期するストロボ21の発光にさらに同期して、ＣＣＤカメラ22が被写体を撮影し、システムコントロール25の制御により、磁気記録再生処理部29、磁気記録再生メカデッキ28等の部分的に公知の磁気記録再生機構を介して磁気テープを備えるカセット30に画像信号（ＲＦ信号）が記録される。
【００２７】
図２を参照して、磁気記録再生装置１における頭出し方法を詳細に説明する。ステップ２０１は、電源ＯＮ／ＯＦＦの判別である。
【００２８】
電源ＯＮであれば、ステップ２０２に分岐し頭出し動作が開始される。ステップ２０３では、ＦＷＤ（フォーワード）遷移命令により、磁気テープ順方向に早送りを行なう。
【００２９】
次にステップ２０４では、再生信号を用いて、クロッグ判別することにより、未記録部分の検出を行う。未記録部分が検出されない場合、ステップ２０３〜２０４を繰り返す。未記録部分を検出した場合、ステップ２０５に分岐する。
【００３０】
ステップ２０５では、ＲＶＳ（リバース）動作命令により、今度は磁気テープ逆方向に巻戻しを行う。
【００３１】
次に、ステップ２０６では、再生信号を用いて、クロッグ判別することにより、記録部分の検出を行う。記録部分が検出されない場合、ステップ２０７に分岐する。記録部分が検出された場合、頭出し終了となる。
【００３２】
ステップ２０７では、現在再生している磁気テープ領域がテープトップか否かを判断する。テープトップでなければ、ステップ２０５に分岐してステップ２０５〜２０６の動作が行われる。テープトップであれば、ステップ２０８に分岐する。
【００３３】
なお、例えば磁気テープの最先端に例えば非磁性領域が形成されていることにより、磁気テープのトップが検出される。
【００３４】
ステップ２０８では、磁気テープのトップ近傍（先頭領域）に、数Ｖ（垂直走査期間）あるい数秒間、ＲＦ信号を記録する。このＲＦ信号は、クロッグ判別に用いることのできる信号であればよい。
【００３５】
続いて、ステップ２０９では、つなぎ撮り命令により、図５（Ａ）に示すつなぎ撮り動作を行う。即ち、ステップ２０８における記録領域から磁気テープを巻き戻し、続いてステップ２０８における記録部分を順方向に再生して停止する。
【００３６】
ステップ２１０では、前記順方向再生時、クロッグ判別によって正常な記録・再生が行われたか判断する。異常であれば目詰まり警告を発する（図１のＬＣＤディスプレイ27）。正常であれば磁気テープをｎｅｗテープと判断して表示する。
【００３７】
以上説明したように、本実施例の方法によれば、記録部分が検出されない場合においても、画像信号等の記録を行う前に、クロッグ判別、具体的にはクロッグ判別のために記録したＲＦ信号の再生レベルを基準電源と比較することにより、磁気記録装置の異常を検出することができる。このため、本実施例によれば既記録テープをｎｅｗテープと誤認識することがなく、画像信号等の上書きによる誤消去が防止される。
【００３８】
【実施例２】
図３は図１の磁気記録再生装置における記録方法を説明するフローチャートである。
【００３９】
記録開始命令により、ステップ３０１では記録前準備（目詰まり判断実施）を行う。前回記録時に、図５に示すトラック合わせ区間にもＲＦ信号が記録されており、磁気テープはトラック合わせ区間の手前で停止している。トラック合わせ区間に記録されたＲＦ信号を再生し、ＲＦ信号のエンベロープ（レベル）を検出することにより（クロッグ判別）、前述の図２に示すステップ２０３〜２０９の動作と同様に目詰まり検出が行われる。
【００４０】
ステップ３０２では、ステップ３０１に係る再生ＲＦ信号のレベルにより目詰まりか否かを判断する。
【００４１】
目詰まりが検出されればステップ３０７に分岐して、目詰まり警告を発して終了する。
【００４２】
目詰まりが検出されない場合、ステップ３０３に分岐し、記録停止命令（ステップ３０４）を受けるまで記録動作を行なう。
【００４３】
記録停止命令を受けた場合、次の記録への準備及び目詰まり判断を再度行なう。この動作は前述のステップ３０１で説明した動作と同じである。
【００４４】
続いて、目詰まりが検出されれば警告を出し（ステップ３０７）、異常が無い場合は終了する。
【００４５】
以上説明したように、本実施例の方法によれば、記録動作（操作）の前後に目詰まり判断を行うことにより、今回記録前の目詰まり、及び今回記録する際に始めて発生する目詰まり両方が検出される。加えて、従来使用されていない、トラック合わせに用いられる該記録媒体のトラック合わせ領域に、所定の信号を記録し、この記録された所定の信号を再生し、例えば再生レベルよりすることにより、磁気記録再生装置の正常又は異常が判断される。この方法によれば、記録媒体を先頭領域まで巻き戻したりする手間が省けると共に、記録媒体の有効活用が為される。
【００４６】
【実施例３】
図４は図１の磁気記録再生装置における検索動作を説明するフローチャートである。
【００４７】
操作者の検索命令を受けた磁気記録装置は、ステップ４０１において、例えば前回の記録の最終部分から磁気テープをＲＶＳ（リバース）方向に巻戻す。
【００４８】
続いて、ステップ４０２では、上記巻き戻しと共に再生を行うことにより、記録部分の検出をする。記録部分が検出された場合、検索ＲＶＳ（リバース）動作は終了する。
【００４９】
記録部分が検出されない場合、ステップ４０３に分岐し、現在巻き戻されかつ再生されている領域が磁気テープのトップであるか否かを判断する。テープトップでなければ、ステップ４０２に分岐する。テープトップであれば、ステップ４０４に分岐する。
【００５０】
続いて、ステップ４０３〜４０６では、前述の図２に示すステップ２０７〜ステップ２１０の動作を行い、目詰まりの検出、警告を行う。
【００５１】
以上説明したように、本実施例の方法によれば、検索動作（操作）においても、目詰まり判断を行うことにより、現在の装置の状態を正確に認識できると共に、磁気ヘッドの目詰まりにより記録部分が見つからないために、既記録磁気テープをｎｅｗテープと混同するようなミスが防止される。
【００５２】
また、磁気テープのある領域に、例えばテープトップ領域に、画像信号等を記録しない領域を設けてヘッド目詰まり検出に供与することも好ましい。
【００５３】
以上、本発明を上記実施例に即して説明したが、本発明は上記態様にのみ限定されるものでなく、本発明の原理に準ずる各種態様を含むものである。
【００５４】
【発明の効果】
以上説明したように、本発明によれば、記録、再生、検索等の操作前に、所定の信号を、例えば磁気テープのトップ領域、あるいはトラック合わせ領域に記録し、再生されたＲＦ信号のレベルを検出することにより、磁気記録再生装置のヘッドの目詰まり等の異常が事前に検出される。このため、再生の際ヘッド目詰まりにより前回記録領域が検出されないにも拘らず、記録済み領域を未記録領域と誤認して、記録領域を上書きするような誤記録が防止される。また、ｎｅｗテープに対しても、使用前に所定の信号を書き込み、かつ再生して再生レベルを検出することによりヘッドの目詰まりが事前に検出される。
【００５５】
また、本発明によれば、記録動作（操作）の前後に目詰まり判断を行うことにより、今回記録前の目詰まり、及び今回記録する際に始めて発生する目詰まり両方が検出される。この方法によれば、記録媒体を先頭領域まで巻き戻したりする手間が省ける。
【図面の簡単な説明】
【図１】本発明の実施例に係る磁気記録再生装置の概略構成を示すブロック図である。
【図２】本発明の第１の実施例に係る図１の磁気記録再生装置における頭出し方法を説明するフローチャートである。
【図３】本発明の第２の実施例に係る図１の磁気記録再生装置における記録方法を説明するフローチャートである。
【図４】本発明の第２の実施例に係る図１の磁気記録再生装置における検索方法を説明するフローチャートである。
【図５】つなぎ撮り動作を説明するための磁気テープ及び再生ＲＦ信号のエンベロープを示す図である。
（Ａ）は、つなぎ撮り動作を説明する磁気テープを示す。
（Ｂ）、（Ｃ）は、クロッグ信号を説明するための、再生ＲＦ信号のエンベロープを示し、
（Ｂ）は、標準モードでの再生ＲＦ信号のエンベロープであり、
（Ｃ）は、倍速モードでの再生ＲＦ信号のエンベロープである。
【図６】従来のつなぎ撮りの際の頭出し方法を説明するためのフローチャートである。
【図７】従来のつなぎ撮りの際の磁気ヘッドの目詰まり検出方法を説明するためのフローチャートである。
【符号の説明】
20  搬送メカ
21  ストロボ
22  カメラ（ＣＣＤカメラ）
23  操作パネル
24  メモリ（不揮発性メモリ）
25  システムコントロール回路
26  表示用メモリ
27  ＬＣＤ（液晶）ディスプレイ
28  磁気記録再生メカデッキ
29  磁気記録再生処理部
30  カセット
31  搬送メカコントロール回路
32  Ａ／Ｄ（アナログ／デジタル）変換回路
33  ＳＳＧ（Sync Signal Generator；同期信号発生器）
34  Ａ／Ｄ・Ｄ／Ａ（アナログ／デジタル・アナログ／デジタル）変換回路
35  記録再生サーボ回路
36  印刷装置
【図１】
0003693380.tif 000002
【図２】
0003693380.tif 000003
【図３】
0003693380.tif 000004
【図４】
0003693380.tif 000005
【図５】
0003693380.tif 000006
【図６】
0003693380.tif 000007
【図７】
0003693380.tif 000008